(57)【要約】【課題】量り売りの商品の販売に対応する商品販売データ処理システムにおいて、会計を受けようとする客の待ち時間が短縮されるようにする。【解決手段】計量された商品の登録が行われる計量装置と、計量装置により登録された商品についての精算が行われる精算装置とを備える商品販売データ処理システムとして、登録された商品ごとに関する金額を含む登録情報を生成する登録情報処理手段と、複数の計量装置間で登録された商品についての商品情報を統合した精算情報を生成し、記憶部に記憶させる精算情報処理手段と、精算情報を精算装置で精算可能なように出力する出力手段と、出力手段により出力された精算情報に基づいて精算装置にて精算に関する精算処理を実行する精算手段とを備えて構成する。【選択図】図１０
2018018421.tif 000002
【特許請求の範囲】
【請求項１】
計量された商品の登録が行われる計量装置と、前記計量装置により登録された商品についての精算が行われる精算装置とを備える商品販売データ処理システムであって、
登録された商品ごとに関する金額を含む登録情報を生成する登録情報処理手段と、
複数の計量装置間で登録された商品についての商品情報を統合した精算情報を生成し、記憶部に記憶させる精算情報処理手段と、
前記精算情報を前記精算装置で精算可能なように出力する出力手段と、
前記出力手段により出力された精算情報に基づいて精算装置にて精算に関する精算処理を実行する精算手段と
を備える商品販売データ処理システム。
【請求項２】
前記登録情報処理手段は、商品の登録を行った店員を示す店員識別情報を前記登録情報に対応付け、
前記精算情報処理手段は、同じ店員識別情報が対応付けられた登録情報を統合して精算情報を生成する
請求項１に記載の商品販売データ処理システム。
【請求項３】
前記精算装置は、店員識別情報を指定する店員指定手段を備え、
前記精算手段は、指定された店員識別情報に対応する精算情報を表示部に表示させる
請求項２に記載の商品販売データ処理システム。
【請求項４】
前記出力手段は、計量装置での１取引に対応する商品の登録の完了を宣言する登録完了操作が行われたことに応じて、前記精算情報を前記精算装置で精算可能なように出力する
請求項１から３のいずれか一項に記載の商品販売データ処理システム。
【請求項５】
前記登録完了操作は、出力される前記精算情報に基づく精算処理を実行させる精算装置を指定する操作を含み、
前記出力手段は、前記精算情報が登録完了操作において指定された精算装置に入力されるように出力を行う
請求項４に記載の商品販売データ処理システム。
【請求項６】
計量された商品の登録が行われる計量装置と、前記計量装置により登録された商品についての精算が行われる精算装置とを備える商品販売データ処理システムにおいて備えられるコンピュータを、
登録された商品ごとに関する金額を含む登録情報を生成する登録情報処理手段、
複数の計量装置間で登録された商品についての商品情報を統合した精算情報を生成し、記憶部に記憶させる精算情報処理手段、
前記精算情報を前記精算装置で精算可能なように出力する出力手段、
前記出力手段により出力された精算情報に基づいて精算装置にて精算に関する精算処理を実行する精算手段
として機能させるためのプログラム。
【発明の詳細な説明】
【技術分野】
【０００１】
本発明は、商品販売データ処理システム及びプログラムに関する。
【背景技術】
【０００２】
量り売りの商品について計測された重量に基づいて値段を算出して代金精算を行う対面販売用電子秤装置が知られている。（例えば、特許文献１参照）。
【先行技術文献】
【特許文献】
【０００３】
【特許文献１】特開２０１３−２５５４９号公報
【発明の概要】
【発明が解決しようとする課題】
【０００４】
特許文献１では、対面販売用電子秤装置にて、客が購入する商品の登録と代金の精算とが行われるようにされている。この場合、精算を行っているとき対面販売用電子秤装置によって商品の重量を計測して登録を行うことはできないため、これから会計を受けようとする客の待ち時間が長くなってしまっていた。
【０００５】
本発明は、このような事情に鑑みてなされたもので、量り売りの商品の販売に対応する商品販売データ処理システムにおいて、会計を受けようとする客の待ち時間が短縮されるようにすることを目的とする。
【課題を解決するための手段】
【０００６】
上述した課題を解決するために、本発明の一態様は、計量された商品の登録が行われる計量装置と、前記計量装置により登録された商品についての精算が行われる精算装置とを備える商品販売データ処理システムであって、登録された商品ごとに関する金額を含む登録情報を生成する登録情報処理手段と、複数の計量装置間で登録された商品についての商品情報を統合した精算情報を生成し、記憶部に記憶させる精算情報処理手段と、前記精算情報を前記精算装置で精算可能なように出力する出力手段と、前記出力手段により出力された精算情報に基づいて精算装置にて精算に関する精算処理を実行する精算手段とを備える商品販売データ処理システムである。
【０００７】
本発明の一態様は、計量された商品の登録が行われる計量装置と、前記計量装置により登録された商品についての精算が行われる精算装置とを備える商品販売データ処理システムにおいて備えられるコンピュータを、登録された商品ごとに関する金額を含む登録情報を生成する登録情報処理手段、複数の計量装置間で登録された商品についての商品情報を統合した精算情報を生成し、記憶部に記憶させる精算情報処理手段、前記精算情報を前記精算装置で精算可能なように出力する出力手段、前記出力手段により出力された精算情報に基づいて精算装置にて精算に関する精算処理を実行する精算手段として機能させるためのプログラムである。
【発明の効果】
【０００８】
以上説明したように、本発明によれば、量り売りの商品の販売に対応する商品販売データ処理システムにおいて、会計を受けようとする客の待ち時間が短縮されるようになるという効果が得られる。
【図面の簡単な説明】
【０００９】
【図１】第１実施形態における商品販売データ処理システムが使用される店舗の概要を示す図である。
【図２】第１実施形態における商品販売データ処理システムの構成例を示す図である。
【図３】第１実施形態における計量装置の構成例を示す図である。
【図４】第１実施形態における計量装置の外観例を示す斜視図である。
【図５】第１実施形態における精算装置の使用例を示す図である。
【図６】第１実施形態における精算装置の外観例を示す斜視図である。
【図７】第１実施形態における精算装置の構成例を示す斜視図である。
【図８】第１実施形態における商品登録画面の表示態様例を示す図である。
【図９】第１実施形態における商品登録画面の表示態様例を示す図である。
【図１０】第１実施形態における精算画面の表示態様例を示す図である。
【図１１】第１実施形態における計量装置が「登録商品引継ぎ」に関連して実行する処理手順例を示すフローチャートである。
【図１２】第１実施形態における精算装置と親計量装置とが精算情報呼出操作に対応して実行する処理手順例を示すフローチャートである。
【図１３】第２実施形態における子計量装置と親計量装置とが登録完了操作に応じて実行する処理手順例を示すフローチャートである。
【図１４】第３実施形態における商品販売データ処理システムの構成例を示すフローチャートである。
【図１５】第３実施形態における商品登録画面の一例を示す図である。
【図１６】第３実施形態における計量装置が店員ボタンの表示に関連して実行する処理手順例を示すフローチャートである。
【図１７】第３実施形態における精算装置と親計量装置とが精算情報の授受に関連して実行する処理手順例を示すフローチャートである。
【図１８】第４実施形態における商品販売データ処理システムが使用される店舗の概要を示すフローチャートである。
【発明を実施するための形態】
【００１０】
＜第１実施形態＞
図１は、本実施形態の商品販売データ処理システムが使用される店舗の概要を示している。本実施形態における商品販売データ処理システムが使用される店舗は、例えば、商業施設（例えば、百貨店、ショッピングセンター、駅構内等）で運営されている。本実施形態の店舗としては食品を販売している場合を例に挙げる。
同図に示される陳列ケース内には、商品として種々の食品が陳列されている。
陳列ケース上には、３つの計量装置１０−Ｍ、１０−Ｓ１、１０−Ｓ２が設置されている。なお、以降の説明にあたり、計量装置１０−Ｍ、１０−Ｓ１、１０−Ｓ２について特に区別しない場合には、計量装置１０と記載する。計量装置１０は、重量を計る商品を載せる秤台を備える。
また、図において客Ｃ側から向かって陳列ケースの左側には２台の精算装置２０−１、２０−２が設置されている。なお、以降の説明にあたり、精算装置２０−１、２０−２について特に区別しない場合には精算装置２０と記載する。
なお、店舗における計量装置１０の設置数と精算装置２０の設置数とは特に限定されるものではない。
【００１１】
客Ｃは、購入する商品、及び購入する重量（若しくは金額）を店員Ｓに指示する。店員Ｓは、客Ｃが指示した商品を登録対象として指定する操作を計量装置１０に行う。そのうえで、店員Ｓは、登録対象の商品の重量（もしくは客Ｃが指示した金額に対応する重量）を計量装置１０により計量させる。この際、店員Ｓは、商品を秤台に載せることで計量を行う。
計量装置１０は、計量された重量と、商品について設定されている単位重量（例えば、１００ｇ）あたりの重量単価とにより商品の金額を算出し、商品の金額とともに登録対象として指定された商品の登録を行う。客Ｃは、自分が購入したい商品ごとに上記のように重量を店員Ｓに指示し、店員Ｓは、指示された商品の重量を計測し、商品登録を行っていく。
【００１２】
また、本実施形態における複数の計量装置１０の間では、「商品登録引継ぎ」が可能とされている。商品登録引継ぎとは、店員が或る１つの計量装置１０にて１つの取引における商品の登録を行った後に、店員が他の計量装置１０に移動して同じ取引における商品の登録を行うことである。商品登録引継ぎにおいては、同じ１取引において、先に計量装置１０にて行われた商品の登録に応じた商品登録情報が次の計量装置１０に引き継がれる。次の計量装置１０は、引き継いだ商品登録情報に対して、自己の商品登録処理により登録された商品についての情報を追加することができる。
【００１３】
このような「商品登録引継ぎ」が可能となることで、例えば、現在おいて店員Ｓが操作している計量装置１０から離れた位置に陳列されている商品を客Ｃから指定されることがある。このような場合、店員Ｓ、指定された商品のところにまで赴いて商品を取り出し、最寄りの場所に設置されている別の計量装置１０により商品の登録を続けることができる。
【００１４】
本実施形態における「商品登録引継ぎ」は、複数の計量装置１０のうち計量装置１０−Ｍが親（マスタ）として機能し、計量装置１０−Ｓ１、１０−Ｓ２が子として機能したうえで、計量装置１０−Ｓ１、１０−Ｓ２が計量装置１０−Ｍと通信可能に接続されることにより実現される。以降においては、親となる計量装置１０−Ｍについては親計量装置１０−Ｍと記載し、子となる計量装置１０−Ｓ１、１０−Ｓ２については、子計量装置子１０−Ｓ１、１０−Ｓ２と記載する場合がある。また、子計量装置子１０−Ｓ１、１０−Ｓ２について特に区別しない場合には、子計量装置１０−Ｓと記載する。
子計量装置１０−Ｓは、登録された商品ごとの商品登録情報を、登録操作を行った店員の店員識別情報と対応付け、親計量装置１０−Ｍに送信する。親計量装置１０−Ｍは、商品登録情報が受信されるごとに、受信された商品登録情報を同じ店員識別情報ごとに統合して店員識別情報ごとに対応する精算情報を生成し、生成した精算情報を記憶する。
【００１５】
そして、店員Ｓは、自分が対応している客Ｃから受けた注文ごとに応じた商品の登録を全て終えると、代金支払のために精算装置２０にまで赴いてもらうように伝えたうえで、自分も精算装置２０にまで移動する。ここで、移動先とする精算装置２０については、他の店員が使用中でなければ、精算装置２０−１、２０−２のいずれでもよい。
【００１６】
精算装置２０に移動した店員Ｓは、精算情報を呼び出すための精算情報呼出操作を行う。精算情報呼出操作は、例えば、精算装置２０のキー操作部に設けられる精算情報呼出キーまたは精算装置２０の画面（タッチパネル）に表示される精算情報呼出キーに対する操作である。
精算情報呼出操作が行われたことに応じて、精算装置２０は、親計量装置１０−Ｍに記憶されている店員ごとの精算情報を通信経由で取得する。精算装置２０は、取得された精算情報を示す精算情報リストを店員用表示部に表示する。精算情報リストにおいては、リストにおいて示される精算情報ごとに対応の店員が示されている。
店員は、表示された精算情報リストを見て、店員として自分が示されている精算情報を選択する精算情報選択操作を行う。精算情報選択操作に応じて、精算装置２０は、精算情報リストに代えて、選択された精算情報に基づく精算画面を店員用表示部に表示する。店員Ｓは、精算画面において表示された合計金額を客Ｃに伝える。客Ｃは、計量装置１０によって算出された登録商品の合計金額に応じた金額（合計金額以上の金額）を店員Ｓに渡す。店員Ｓは、客Ｃから渡された金額を預り金額として入力して精算装置２０に精算処理を行わせる。店員Ｓは、買上商品と、精算装置２０から発行されたレシートとを客Ｃに渡すとともに、釣銭が発生した場合には釣銭も客Ｃに渡し、客Ｃとの取引を完了させる。
【００１７】
このように、本実施形態においては、量り売りの商品の対面販売に対応する商品販売データ処理システムとして、商品の登録を行う計量装置１０と、精算を行う精算装置２０とが分離された構成を有する。
一方、精算装置２０が備えられない構成の場合、店員Ｓは、計量装置１０にて商品の登録を完了させると、その場で代金の精算を行っていた。代金の精算を行っている間、計量装置１０は使用できないことから、特に混雑時などには後の客の待ち時間が長くなる傾向にあった。
これに対して、本実施形態のように計量装置１０と精算装置２０とが分離された構成では、計量装置１０での商品の登録が完了すれば、店員Ｓも客Ｃも精算装置２０に移動することから、すぐに次の客Ｃに対応して別の店員Ｓが計量装置１０を使用して商品の登録を行える。このため、本実施形態においては、計量装置１０を効率的に使用できることになり、会計を待つ客の待ち時間が短縮されることになる。
【００１８】
図２は、本実施形態における商品販売データ処理システムの構成例を示している。同図の商品販売データ処理システムは計量装置１０（１０−Ｍ、１０−Ｓ１、１０−Ｓ２）、精算装置２０（２０−１、２０−２）、及び電子商品札３０−１〜３０−ｎを備える。
なお、以降において、電子商品札３０−１〜３０−ｎについて特に区別しない場合には、電子商品札３０と記載する。
【００１９】
計量装置１０は、商品登録操作に応じた商品登録処理を行う。商品登録処理として、計量装置１０は、秤台に載せられた商品について計測された重量と、重量単価とにより商品ごとの金額を算出し、算出された金額を含む商品の商品登録情報を生成する。また、前述のように、親計量装置１０−Ｍは、子計量装置１０−Ｓと連携して「商品登録引継ぎ」を行い、店員ごとに対応する商品登録情報が統合された精算情報を管理する。
精算装置２０は、前述のように、親計量装置１０−Ｍから呼び出した精算情報を利用して精算処理を実行する。
【００２０】
電子商品札３０は、それぞれ、陳列された商品ごとに対応して店員に向けて設置されている。電子商品札３０は、それぞれ、所定の近距離対応の無線通信方式により計量装置１０の各々と通信可能である。
電子商品札３０は、それぞれ、電子商品札番号を記憶している。電子商品札番号は、電子商品札３０ごとに付与された番号であり、１の商品と対応付けられている。電子商品札３０は、電子商品札番号が対応付けられた商品が陳列された場所に対応する位置に設置される。
電子商品札３０は、振動を検出する振動センサを備える。
例えば、客Ｃによって商品が指示されると、店員Ｓは、指示された商品に対応する電子商品札３０に対してタッチする操作を行う。電子商品札３０はタッチの操作に応じた振動を検出し、自己が記憶する電子商品札番号を計量装置１０に送信する。計量装置１０は、電子商品札番号の受信に応じて、受信された電子商品札番号に対応付けられた商品を、登録対象の商品として設定する。
なお、同図においては、電子商品札３０−１〜３０−ｎの５つの電子商品札３０が配置された例が示されているが、電子商品札３０の数は、陳列される商品の数に応じて適宜変更される。
なお、電子商品札３０は、例えばＲＦＩＤ（Radio Frequency IDentifier）タグなどにより構成することができる。
【００２１】
図３及び図４を参照して、本実施形態における計量装置１０の構成例について説明する。図３は、計量装置１０のハードウェア構成例を示すブロック図である。図４は、計量装置１０の外観例を示す斜視図である。具体的、図４（Ａ）は店員Ｓ側から計量装置１０を見た図であり、図４（Ｂ）は計量装置１０を客Ｃ側から見た図である。
図３及び図４に示される構成は、親計量装置１０−Ｍと子計量装置１０−Ｓとで共通とされてよい。
【００２２】
図３に示すように、計量装置１０は、ＣＰＵ１０１と、ＲＯＭ１０２と、ＲＡＭ１０３と、スキャナ部１０４と、店員用表示部１０５と、客用表示部１０６と、ハードディスク１０７と、キー操作部１０８と、計量部１０９と、印字部１１０と、装置間対応通信部１１１と、近距離通信部１１２とを備える。これらは、バス１１９を介して互いに接続されている。
【００２３】
ＣＰＵ１０１は、プログラムを実行することにより、計量装置１０としての機能実現のための各種処理を実行する。
ＲＯＭ１０２は、種々の情報を記憶する。例えば、ＣＰＵ１０１が実行するプログラムを記憶する。また、ＲＯＭ１０２は、店員用表示部１０５や客用表示部１０６による表示に関する情報（画面情報、メッセージ情報等）を記憶する。また、ＲＯＭ１０２は、自装置を識別させるための装置番号（装置識別子）を記憶する。また、ＲＯＭ１０２は、印字部１１０による印字に関する情報（印字内容、印字フォーマット情報等）を記憶してもよい。
ＲＡＭ１０３は、ＣＰＵ１０１が処理、演算を実行するにあたっての作業領域として利用される。
【００２４】
スキャナ部１０４は、コード化された情報を光学的に読み取る。例えば、図４（Ａ）（Ｂ）に示されるように、スキャナ部１０４は、客Ｃからは見えにくい位置に設置されている。
【００２５】
店員用表示部１０５は、図４（Ａ）に示すように、店員Ｓ側に向けて配置される。店員用表示部１０５は、タッチパネルとして構成され、表示された操作画面に対して指などの操作体が画面に触れることによる操作を受け付ける。
【００２６】
客用表示部１０６は、図４（Ｂ）に示すように、客Ｃ側に向けて配置され、客向けの表示を行う。なお、客用表示部１０６は、客Ｃによる操作が可能なようにタッチパネルとして構成されてもよい。
【００２７】
ハードディスク１０７は、ＣＰＵ１０１の補助記憶装置として計量装置１０に必要な各種の情報を記憶する。ハードディスク１０７は、例えば商品ファイル等を記憶してもよい。ハードディスク１０７は、登録処理等をＣＰＵ１０１に実行させるためのプログラムを記憶してもよい。また、ハードディスク１０７は、プログラムが実行されることによって生成される種々の情報を記憶してもよい。また、ハードディスク１０７は、店員用表示部１０５や客用表示部１０６による表示に関する情報や、印字部１１０による印字に関する情報を記憶してもよい。
なお、ハードディスク１０７に代えて、ＳＳＤ（Solid State Drive）が備えられてもよい。
【００２８】
キー操作部１０８は、図４（Ａ）に示すように、店員からの種々の操作を受け付けるための各種の操作キー（置数キー、取消キー、風袋キー、追加キー、品番キー、実行キー等）を備える。
【００２９】
計量部１０９は、秤台１０９ａに置かれた商品等（商品及び該商品を入れた風袋）の重量を計量し、計量値を示したデータをＣＰＵ１０１に出力する。なお、計量部１０９から計量値を取得したＣＰＵ１０１は、計量値から所定の重量（風袋の重量）を減算して、秤台１０９ａに置かれた商品を算出する。また、ＣＰＵ１０１は、上述の如く算出した商品の重量をＲＡＭ１０３に一時記憶するとともに、表示部（店員用表示部１０５、客用表示部１０６）に表示させる。
【００３０】
印字部１１０は、記録媒体に印字（印刷）し、発行口（図４（Ａ）参照）から発行（出力）する。例えば印字部１１０は、商品に貼り付けるラベルを発行することができる。
【００３１】
装置間対応通信部１１１は、所定の通信網を経由して、他の計量装置１０との通信を行う。装置間対応通信部１１１により、親計量装置１０−Ｍと子計量装置１０−Ｓとの間での通信が実現される。なお、装置間対応通信部１１１が対応する通信網は、有線であってもよいし、無線であってもよい。
近距離通信部１１２は、電子商品札３０と無線により通信を行う。
【００３２】
図４（Ａ）に示されるように、電子商品札３０は、店員Ｓ側に向けて商品ごとに設置されている。電子商品札３０は、同図に示されるように単価（単位重量あたり、または単位個数あたりの価格）などを表示する表示部が備えられている。店員Ｓは、電子商品札３０を見ることで、どこにどの商品が配置されているのかを把握できるとともに、商品ごとの価格を把握できる。
また、図４（Ｂ）に示すように、客Ｃ側には、電子商品札３０とは異なる商品札３２が商品ごとに設置されている。商品札３２には、商品名や価格などをはじめとする客Ｃ向けの情報が示されている。
なお、商品札３２も表示部を有する電子商品札３０と同様の構成であってもよい。
【００３３】
図５は、精算装置２０の外観等を示した斜視図である。図５には、カウンタ台を挟んで対向する店員Ｓと、客Ｃとが表されている。図６は、精算装置２０の別の視点による外観の斜視図である。
図６に示すように、精算装置２０は、店員用表示部２０５と、キー操作部２０８と、スキャナ部２０４と、客用表示部２０６と、釣銭機２６０と、発行口２１０ａとを含む。
【００３４】
店員用表示部２０５は、精算に関連する画面（精算画面）等が表示される。店員用表示部２０５は、タッチパネルを備えるディスプレイデバイスとして構成される。
【００３５】
キー操作部２０８は、キー等の入力部を備える。例えば、入力部は、販売価格や数量を入力する数字キー、予め定められた処理に対応付けられたプリセットキー等を備える。なお、キー操作部２０８は、ＣＰＵ２０１に精算処理を実行開始させる現計キーを備えてもよい。キー操作部２０８は、店員Ｓによる入力部の操作入力を受け付ける。
【００３６】
スキャナ部２０４は、商品に対応付けられたバーコード状の商品コードを読み取り、商品コードの情報をＣＰＵ２０１に供給する光学式読取装置である。例えば、スキャナ部２０４は、ハンディスキャナにより実現される。スキャナ部２０４は、筐体の側面に設けられた台座に掛止される。なお、スキャナ部２０４を、店員Ｓ側のカウンタ台の台上に設置した固定型スキャナにより実現してもよい。
【００３７】
客用表示部２０６は、客向けに精算に関連する情報が表示される。客用表示部２０６も、タッチパネルを備えて構成されてよい。
【００３８】
カウンタ台の台上には、筐体が設置される。ただし、カウンタ台の台上には、筐体より店員Ｓ前に、買上商品が置かれる載置面が確保されている。
カウンタ台の台上には、筐体より客Ｃ前に、客用表示部２０６が客Ｃ側に表示面を向けて配設される。客用表示部２０６は、その表示面と客用表示部２０６の設置面とのなす角度を変更可能に設けられてもよい。客用表示部２０６の設置面と載置面とは、同一平面内であってもよいし、異なっていてもよい。例えば、客用表示部２０６は、載置面より上方、且つ釣銭機２６０の近傍の位置に配設される。
【００３９】
カウンタ台の台上に設置された筐体の設置面側と逆側の端部（上端）には、店員用表示部２０５が取り付けられている。つまり、店員用表示部２０５は、載置面より上方の位置に、載置面に対して支持される。店員用表示部２０５は、店員Ｓ側に表示面を向けて設けられる。また、キー操作部２０８は、店員Ｓ側に入力部を向けて設けられる。
【００４０】
店員用表示部２０５は、垂直方向の中心軸に対して回動可能である。例えば、図６によれば、店員用表示部２０５は、筐体にぶつからない範囲内で首振り可能である。なお、例えば、店員用表示部２０５を、店員Ｓに対して正面の向きから略１８０度（１８０度を含む。）回動可能に設けてもよい。
また、店員用表示部２０５は、垂直方向の中心軸と直交し、且つ表示面に平行な軸に対して、例えば０度から略１２０度（１２０度を含む。）までの範囲内で回動可能であってもよい。ただし、ここでいう表示面に平行な軸とは、例えば、表示面が鉛直軸を含む位置における当該表示面に平行な軸である。なお、例えば、店員用表示部２０５を、垂直方向の中心軸と直交し、且つ表示面に平行な軸に対して１２０度回動させた場合、店員用表示部２０５は、上下が逆に設置されることとなる。この場合、精算装置２０は、表示画面の走査が逆になるよう店員用表示部２０５に対する表示の制御を行う。
【００４１】
筐体の客Ｃ側の面には、広告部２４２が設けられる。広告部２４２は、紙媒体や樹脂媒体であってもよいし、映像や静止画像を表示する表示装置であってもよい。
【００４２】
釣銭機２６０は、紙幣及び硬貨の客Ｃによる投入を受け付けて入金処理を行い、釣銭、返金、またはリジェクトされる場合の紙幣及び硬貨を排出する自動釣銭機である。釣銭機２６０は、紙幣管理部６１と、硬貨投入口２６４と、硬貨排出口２６５と、リジェクト口２６６とを備える。硬貨投入口２６４と、硬貨排出口２６５と、リジェクト口２６６とは、硬貨管理部に含まれる。紙幣管理部６１は、紙幣投入口２６２と、紙幣排出口２６３とを備える。紙幣投入口２６２は、客Ｃにより投入される紙幣を取り込む口である。紙幣排出口２６３は、紙幣及びリジェクト紙幣を排出する口である。紙幣投入口２６２及び紙幣排出口２６３は、二段に構成される。例えば、紙幣管理部６１において、上段が紙幣投入口２６２、下段が紙幣排出口２６３である。なお、釣銭機２６０は、硬貨管理部のみを備えてもよい。
【００４３】
硬貨投入口２６４は、客Ｃにより投入される硬貨を取り込む口である。硬貨排出口２６５は、おつりとしての硬貨、釣銭機２６０が備える貨幣識別部が識別に失敗した場合の硬貨、貨幣識別部が偽造硬貨として識別した場合の硬貨を排出する口である。リジェクト口２６６は、入金後、キャンセルの操作をした場合に、硬貨を排出する口である。紙幣投入口２６２及び硬貨投入口２６４が入金口である。紙幣排出口２６３、硬貨排出口２６５、及びリジェクト口２６６が出金口である。発行口２１０ａは、各種レシートをレシートの排出口から出力する。
【００４４】
釣銭機２６０及び発行口２１０ａは、紙幣投入口２６２と、紙幣排出口２６３と、硬貨投入口２６４と、硬貨排出口２６５と、リジェクト口２６６と、レシートの排出口とを客Ｃ側に向けて、カウンタ台の客Ｃ側側面に突設される。この配置により、客Ｃが釣銭機２６０に近接して立った場合に、客Ｃのつま先がカウンタ台にあたるおそれが低減される。例えば、釣銭機２６０及び発行口２１０ａが一体の筐体に収納され、この筐体がカウンタ台の客Ｃ側側面に突設される。
【００４５】
図７は、精算装置２０の構成例を示すブロック図である。精算装置２０は、ＣＰＵ２０１と、ＲＯＭ２０２と、ＲＡＭ２０３と、スキャナ部２０４と、店員用表示部２０５と、客用表示部２０６と、ハードディスク２０７と、キー操作部２０８と、印字部２１０と、装置間対応通信部２１１と、近距離通信部２１２と、釣銭機２６０とを備える。これらは、バス２１９を介して互いに接続されている。なお、装置間対応通信部２１１は、後述の第３実施形態において店員識別タグとの通信のために備えられる部位であることから、本実施形態においては省略されてよい。
【００４６】
ＣＰＵ２０１は、プログラムを実行することにより、精算装置２０としての機能実現のための各種処理を実行する。
ＲＯＭ２０２は、種々の情報を記憶する。例えば、ＲＯＭ２０２は、ＣＰＵ２０１が実行するプログラムを記憶する。また、ＲＯＭ２０２は、店員用表示部２０５や客用表示部２０６による表示に関する情報（画面情報、メッセージ情報等）を記憶する。また、ＲＯＭ２０２は、自装置を識別させるための装置番号を記憶する。また、ＲＯＭ２０２は、印字部２１０による印字に関する情報（印字内容、印字フォーマット情報等）を記憶してもよい。スキャナ部２０４は、コード化された情報を光学的に読み取って、読み取った情報をＲＡＭ２０３に記憶させる。
ＲＡＭ２０３は、ＣＰＵ２０１が処理、演算を実行するにあたっての作業領域として利用される。
スキャナ部２０４は、コード化された情報を光学的に読み取る。スキャナ部２０４は、例えば会員カードにバーコード等として印刷された会員番号などの情報を読み取ることができる。
【００４７】
店員用表示部２０５は、タッチパネルとして構成され、店員向けの情報の表示を行い、店員が画面を触れることによる操作を受け付ける。
客用表示部２０６は、客向けの情報を表示する。なお、客用表示部２０６もタッチパネルとして構成されてもよい。
【００４８】
ハードディスク２０７は、ＣＰＵ２０１の補助記憶装置として精算装置２０に必要な各種の情報を記憶する。ハードディスク２０７は、精算処理等をＣＰＵ２０１に実行させるためのプログラムを記憶してもよい。また、ハードディスク２０７は、プログラムが実行されることによって生成される種々の情報を記憶してもよい。また、ハードディスク２０７は、店員用表示部２０５や客用表示部２０６による表示に関する情報や、印字部２１０による印字に関する情報を記憶してもよい。
【００４９】
キー操作部２０８は、店員からの種々の操作を受け付けるための各種の操作キー（置数キー、取消キー、実行キー等）を備える。
印字部２１０は、レシートなどを用紙に印字し、レシートを排出口から排出させる。
【００５０】
続いて、図８〜図１０を参照して、１取引に対応する会計を行うにあたっての店員Ｓの操作手順例について説明する。同図の説明にあたっては、客Ｃが、１取引により「サーモンのマリネ」と「ローストビーフ」との２つの商品を購入する場合を例に挙げて説明する。
ここで、客Ｃは、今回の取引における１つ目の商品として、「サーモンのマリネ」について２００ｇを購入する旨を店員Ｓに告げた。そこで、店員Ｓは、例えば「サーモンのマリネ」の近くに設置される計量装置１０を使用し、店員用表示部１０５において表示されている商品登録画面に対する操作により「サーモンのマリネ」を登録対象の商品として指定する。ここでは、子計量装置１０−Ｓ１を使用して「サーモンのマリネ」を登録対象の商品として指定した場合を例に挙げる。
【００５１】
図８は、子計量装置１０−Ｓ１にて表示される商品登録画面の例を示している。同図の商品登録画面は、「サーモンのマリネ」を登録対象の商品として指定する操作、商品を計量する操作、及び商品の登録を確定させる操作とによる、「サーモンのマリネ」に対応する一連の商品登録操作が終了した段階での表示内容例を示している。
同図の商品登録画面においては、商品名エリアＡＲ１、風袋重量エリアＡＲ１１、商品重量エリアＡＲ１２、内容量エリアＡＲ１３、重量単価エリアＡＲ１４、商品価格エリアＡＲ１５が配置されている。
商品名エリアＡＲ１は、登録対象として指定された商品の商品名が表示されるエリアである。
風袋重量エリアＡＲ１１は、予め設定された風袋の重量を呼び出した場合に、風袋の重量が表示されるエリアである。
商品重量エリアＡＲ１２は、計量部１０９により計量された登録対象の商品の重量が示されるエリアである。
内容量エリアＡＲ１３は、登録対象の商品の内容量が表示されるエリアである。
重量単価エリアＡＲ１４は、登録対象の商品が量り売りである場合において、登録対象の商品の単位重量（１００ｇ）あたりの単価（重量単価）が表示される領域である。
商品価格エリアＡＲ１５は、登録対象の商品の重量または内容量に応じた価格（商品価格）が表示されるエリアである。
登録対象の商品を指定する操作が行われていない段階では、商品名エリアＡＲ１、風袋重量エリアＡＲ１１、商品重量エリアＡＲ１２、内容量エリアＡＲ１３、重量単価エリアＡＲ１４、商品価格エリアＡＲ１５においては、例えば特に表示は行われない。つまり、有意な数値表示はされない。
【００５２】
また、同図の商品登録画面においては、商品分類ボタンＢＴ１（ＢＴ１−１、ＢＴ１−２）と、商品ボタンＢＴ２（ＢＴ２−１、ＢＴ２−２、ＢＴ２−３）が配置されている。
【００５３】
商品分類ボタンＢＴ１（ＢＴ−１、ＢＴ１−２）は、登録対象の商品が該当する商品の分類を指定する操作が行われるボタンである。同図の場合には、商品分類ボタンＢＴ１として、２つの商品分類ボタンＢＴ１−１、ＢＴ１−２が配置されている。商品分類ボタンＢＴ１−１は、「サラダ」に分類される商品に対応する。商品分類ボタンＢＴ１−２は、「総菜」に分類される商品に対応する。
この場合、客Ｃから指定された「サーモンのマリネ」は「総菜」に分類される。そこで、この場合の店員Ｓは、「サーモンのマリネ」を登録対象として指定するにあたり、先ず、商品分類ボタンＢＴ１−２を操作して、「総菜」の分類を選択する。なお、「総菜」の分類が既に選択された状態であった場合、店員Ｓは、商品分類ボタンＢＴ１−２に対する操作は行わなくともよい。なお、商品分類ボタンＢＴ１の数は、商品の分類数に応じて変更されてよい。
【００５４】
商品ボタンＢＴ２は、商品分類ボタンＢＴ１に対する操作によって選択された分類に属する商品ごとに対応するボタンである。同図においては、「総菜」の分類に属する商品に対応する商品ボタンＢＴ２として、３つの商品ボタンＢＴ２−１、ＢＴ２−２、ＢＴ２−３が配置された例が示される。
商品ボタンＢＴ２−１は、「サーモンのマリネ」に対応する。商品ボタンＢＴ２−２は、ローストビーフに対応する。商品ボタンＢＴ２−３は、「肉団子」に対応する。
【００５５】
この場合、店員Ｓは、客Ｃから指定された１つ目の商品である「サーモンのマリネ」に対応する商品ボタンＢＴ２−１を操作する。商品ボタンＢＴ２−１の操作に応じて、子計量装置１０−Ｓ１は、商品ボタンＢＴ２−１に対応する「サーモンのマリネ」を登録対象の商品として設定する。「サーモンのマリネ」が登録対象の商品として設定されたことに応じて、商品名エリアＡＲ１においては、登録対象の商品の商品名として「サーモンのマリネ」が表示される。また、重量単価エリアＡＲ１４には、「サーモンのマリネ」の重量単価が３９８円であることが示される。ただし、この段階では、商品の重量が計測されていない。このため、風袋重量エリアＡＲ１１、商品重量エリアＡＲ１２、内容量エリアＡＲ１３においては特に表示は行われない。また、商品価格エリアＡＲ１５においては「０」が表示され、有効な金額が示されていない状態である。
【００５６】
また、同図の商品登録画面においては、店員ボタン表示エリアＡＲ２０が設けられている。店員ボタン表示エリアＡＲ２０には、店舗にて販売を担当している店員ごとに応じた店員ボタンが配置される。同図においては、４つの店員ボタンＢＴ３０−１〜ＢＴ３０−４が店員ボタン表示エリアＡＲ２０の上から下にかけて順次配列された例が示されている。なお、以降において店員ボタンＢＴ３０−１〜ＢＴ３０−４について特に区別しない場合には、店員ボタンＢＴ３０と記載する。
店員ボタンＢＴ３０のそれぞれにおいては、対応の店員についての名称（店員名称）と、対応の店員が現在応対している客との取引における商品登録状況として、当該取引においてこれまでに登録された商品の数（登録商品数）が示される。
具体的に、同図の例では、店員ボタンＢＴ３０−１においては、「店長」との店員名称が表示され、登録商品数については「０１」との表記により、現在までに登録された商品が１つであることが示されている。店員ボタンＢＴ３０−２においては、「店員Ａ」との店員名称が表示され、登録商品数については「０１」との表記により、現在までにおいて１つの商品が登録されていることが示されている。店員ボタンＢＴ３０−３においては、「店長Ｂ」との店員名称が表示され、登録商品数については「００」との表記により、まだ登録された商品の無いことが示されている。店員ボタンＢＴ３０−４においては、「店長Ｃ」との店員名称が表示され、登録商品数については「００」との表記により、まだ登録された商品の無いことが示されている。
【００５７】
ここでは、同図に対応して「サーモンのマリネ」を登録対象として設定する操作を行った店員Ｓが店員ボタンＢＴ３０−１に対応する店長である場合を例に説明する。
上記のように登録対象の商品として「サーモンのマリネ」を指定した後、店員Ｓ（店長）は、「サーモンのマリネ」を陳列ケースから取り出し、「サーモンのマリネ」の量が２００ｇとなるように計量部１０９により計量しながら調整する。
店員Ｓ（店長）は、「サーモンのマリネ」の量が２００ｇとなるように調整を終えると、商品「サーモンのマリネ」についての登録を確定させるための操作（登録確定操作）として、店員ボタンＢＴ３０のうち、自分に対応する店員ボタンＢＴ３０−１に対するタッチ操作を行う。
店員ボタンＢＴ３０−１に対するタッチ操作に応じて、子計量装置１０−Ｓ１は、商品「サーモンのマリネ」についての登録を確定させる。つまり、子計量装置１０−Ｓ１は、商品「サーモンのマリネ」についての商品登録情報を生成し、生成した商品登録情報を親計量装置１０−Ｍに送信する。
【００５８】
同図は、上記のようにして商品「サーモンのマリネ」についての登録が確定したことにより、段階における商品登録画面の例を示している。
店員Ｓ（店長）に対応して１取引における１つ目の商品の登録が確定されたことに応じて、親計量装置１０−Ｍは、自機と子計量装置１０−Ｓのそれぞれにおける、「店長」に対応の店員ボタンＢＴ３０−１における商品登録数について、これまでの「００」の表示から、同図に示される「０１」の表示に変更されるように制御する。この制御に応じて、子計量装置１０−Ｓ１にて表示される商品登録画面においても、同図のように、「店長」に対応の店員ボタンＢＴ３０−１における商品登録数が「００」から「０１」の表示に変更される。
また、同図の商品重量エリアＡＲ１２においては、現在において計量部１０９により計測されている重量が２００ｇであることが示されている。また、商品価格エリアＡＲ１５においては、商品の重量と重量単価とにより求められた商品価格が７９６円であることが示されている。また、店員ボタンＢＴ３０−１においては、商品登録数として「０１」の数字が表示される状態に変化している。この変化は、「店長」が現在応対している取引において、１つ目の商品が登録されたことを示す。また、この変化は、「商品登録引継ぎ」の機能の下で、他の計量装置１０における商品登録画面においても反映される。
【００５９】
また、客Ｃは、上記の「サーモンのマリネ」の２００ｇの注文を行った後、２つ目の商品として、次に「ローストビーフ」を２５０ｇ注文した。そこで、店員Ｓ（店長）は、上記のように「サーモンのマリネ」についての登録確定操作を行った後、次に、「ローストビーフ」を登録するための作業を行う。
【００６０】
「ローストビーフ」の商品は、「サーモンのマリネ」の商品から離れた位置に陳列されていたため、店員Ｓ（店長）は、「ローストビーフ」が陳列されている場所にまで移動して、陳列ケースから商品「ローストビーフ」を取り出す。
ここで、「ローストビーフ」の商品に最も近い場所に設置されている計量装置１０は、先に「サーモンのマリネ」を登録した子計量装置１０−Ｓ１ではなく、子計量装置１０−Ｓ２であった。このときに子計量装置１０−Ｓ２は他のどの店員Ｓによっても使用されていなかった。そこで、店員Ｓ（店長）は、「商品登録引継ぎ」の機能を利用して、子計量装置１０−Ｓ２を使用して「ローストビーフ」の登録を行う。
【００６１】
子計量装置１０−Ｓ２を使用しての「ローストビーフ」の登録に際しても、店員Ｓ（店長）は、先に「サーモンのマリネ」を登録した場合と同様の操作を行う。つまり、店員Ｓ（店長）は、先ず、商品登録画面において「ローストビーフ」に対応して配置される商品ボタンＢＴ２−２を操作し、「ローストビーフ」を登録対象の商品として設定する。
【００６２】
上記のように、店員が商品ボタンＢＴ２−２を操作し、「ローストビーフ」を登録対象の商品として設定したことに応じて、子計量装置１０−Ｓ２の店員用表示部１０５において表示される商品登録画面は以下のようになる。
商品登録画面の商品名エリアＡＲ１においては、「ローストビーフ」が登録対象の商品として設定されたことに応じて、登録対象の商品の商品名として「ローストビーフ」が表示される。また、重量単価エリアＡＲ１４には、「ローストビーフ」の重量単価が４２０円であることが示されている。また、この段階では、商品の重量が計測されていないことから、商品価格エリアＡＲ１５においては「０」が表示される。
また、この段階では、「ローストビーフ」が登録対象として指定されてはいるが登録は確定していない。このため、同図の商品登録画面において配置されている店員Ｓ（店長）に対応する店員ボタンＢＴ３０−１において示される登録商品数は「０１」のままである。
【００６３】
次に、店員Ｓ（店長）は、子計量装置１０−Ｓ２の秤台１０９ａに「ローストビーフ」を載せて２５０ｇとなるように量を調節した後、登録確定操作として、自分に対応する店員ボタンＢＴ３０−１を操作し、「ローストビーフ」の登録を確定させる。
【００６４】
図９は、上記のように「ローストビーフ」についての登録が確定された後において子計量装置１０−Ｓ２の店員用表示部１０５に表示される商品登録画面の例を示している。
同図の商品登録画面において、商品重量エリアＡＲ１２には、現在において計量部１０９により計測されている重量が２５０ｇであることが示されている。また、商品価格エリアＡＲ１５においては、「ローストビーフ」について計測された重量と重量単価とにより求められた商品価格が１０５０円であることが示されている。
また、「ローストビーフ」についての登録が確定されたことに応じて、店長に対応する店員ボタンＢＴ３０−１における商品登録数は、「０１」から「０２」に変化し、店長が応対する取引のもとで、２つ目の商品の登録が行われている段階であることが示される。
このように客Ｃの注文に応じた「サーモンのマリネ」と「ローストビーフ」の登録が確定された段階では、親計量装置１０−Ｍにより、「サーモンのマリネ」と「ローストビーフ」との商品登録情報が統合された精算情報が店長としての店員Ｓに対応付けられて記憶されている。
【００６５】
この場合の客Ｃの注文は、「サーモンのマリネ」と「ローストビーフ」との２つであることから、これで客Ｃの注文に応じた商品の登録が全て完了した。そこで、この場合の店員は、今回の取引についての精算のために、客Ｃを精算装置２０にまで案内しながら、自分も同じ精算装置２０にまで移動する。
なお、移動先の精算装置２０は、他の店員が使用中でなければ、精算装置２０−１と２０−２とのいずれでもよいが、ここでは、店員Ｓ（店長）は、精算装置２０−１に移動した。
なお、今回の取引において登録された「サーモンのマリネ」と「ローストビーフ」の商品は、精算装置２０に移動する段階で客Ｃに渡してもよいし、精算装置２０に移動してから渡してもよい。
【００６６】
精算装置２０−１に移動した店員Ｓ（店長）は、精算情報の呼び出しを指示する精算情報呼出操作を行う。精算情報呼出操作は、例えば店員用表示部２０５に表示された精算情報呼出ボタンに対する操作、あるいはキー操作部２０８において備えられる精算情報呼出キーに対する操作などであればよい。
精算情報呼出操作に応じて、精算装置２０−１の店員用表示部２０５には、親計量装置１０−Ｍから通信経由で取得した精算情報のリストを示す精算情報リストが表示される。精算情報リストにおいては、現在において親計量装置１０−Ｍが記憶している精算情報（即ち、現在において精算が完了していない取引についての精算情報）が会計担当の店員と対応付けられて示される。より具体的には、精算情報リストは、店員名と登録された商品とが対応付けて表示されるリスト項目が配置されるような態様であればよい。
【００６７】
店員Ｓ（店長）は、精算装置２０−１にて表示された精算情報リストのうちから、自分に対応する精算情報を選択する操作を行う。この操作に応じて、精算装置２０−１の店員用表示部２０５においては、選択された精算情報に対応する精算画面が表示される。
【００６８】
図１０は、上記の精算情報を選択する操作が行われたことに応じて表示される精算画面の例を示している。同図に示されるように「加算情報」を示すエリアには、今回の商品登録操作により登録された「サーモンのマリネ」と「ローストビーフ」とについての登録内容が示されている。具体的には、登録された商品ごとに、商品名、重量、重量単価、商品価格などが示される。
また、精算画面においては、「サーモンのマリネ」と「ローストビーフ」とを合わせた小計金額が１８４６円であり、税額は１４８円（税率８％の例）であり、小計金額と税額とを合わせた合計金額は１９９４円であることが示されている。
【００６９】
また、精算情報を選択する操作に応じては、客用表示部２０６において客向けの精算画面が表示される。図示は省略するが、例えば客向けの精算画面においては、先ず、合計金額の表示などとともに、代金支払のための釣銭機２６０への入金を客Ｃに案内する表示が行われる。客Ｃは、表示された案内に従って、代金以上の金額の貨幣を釣銭機２６０に投入（入金）する。
精算装置２０−１は、入金された金額に応じた精算処理として、例えば釣銭の計算を行い、釣銭が発生したのであれば、釣銭に応じた金額の貨幣を釣銭機２６０から排出し、レシート等を発行する。精算装置２０−１は、この際に、客用表示部２０６において、入金金額の表示、釣銭の金額の表示、釣銭やレシートの受け取りを客Ｃに促すメッセージの表示など行う。また、入金金額、釣銭の金額、釣銭、レシートの受け取りが完了したか否かの表示などが並行して店員用表示部２０５において行われる。店員は、店員用表示部２０５における表示を見ることで、客Ｃによる精算の状況を把握できる。そして、客Ｃが、排出された釣銭や発行されたレシートを受け取る。このようにして、１取引に応じた会計が完了する。
なお、精算装置２０は、例えばクレジットカード、プリペイドカード、金券などの使用に対応して精算を行うことも可能である。
【００７０】
ここで、本実施形態においては、精算装置２０において店員Ｓが客Ｃと対面した状態で接客を行うものの、代金の支払いに応じた入金や釣銭の取り出しの作業は、客Ｃが行うようにされている。つまり、本実施形態の商品販売データ処理システムにおいては、１取引の開始から完了までの間において店員Ｓが現金に触れることがなく、衛生的に会計を行うことができる。
【００７１】
以下、本実施形態の商品販売データ処理システムにおいて実行される処理手順例について説明する。
図１１のフローチャートを参照して、本実施形態における計量装置１０が「登録商品引継ぎ」に関連して実行する処理手順例について説明する。
先ず、同図の左のフローチャートを参照して、子計量装置１０−Ｓが店員の商品登録に関する操作に応じて実行する処理手順例について説明する。
ステップＳ１０１：子計量装置１０−Ｓは、商品登録操作が行われるのを待機している。ここでの商品登録操作とは、１つの商品に対応する商品ボタンＢＴ２に対する操作により登録対象の商品を設定する操作、登録対象として設定された商品の重量を計測する操作、及び登録確定のために自分に対応する店員ボタンＢＴ３０の操作を含む一連の操作である。
ステップＳ１０２：ステップＳ１０１により商品登録操作が行われたことに応じて、子計量装置１０−Ｓは、商品登録情報を生成する。生成される商品登録情報には、登録が確定された商品ごとの商品コード、商品名、金額などの精算に必要な情報が含まれる。また、商品登録情報には、登録確定のために操作された店員ボタンＢＴ３０が対応する店員識別情報が対応付けられる。
店員識別情報は、店員ごとに一意となるように割り当てた店員識別子を含む情報である。店員識別情報には、例えば店員名を示す情報がさらに含まれる。
ステップＳ１０３：子計量装置１０−Ｓは、ステップＳ１０２によって生成された商品登録情報を、親計量装置１０−Ｍに送信する。
なお、親計量装置１０−Ｍも、自己に対して商品登録操作が行われることに応じて、商品登録情報を生成する。つまり、親計量装置１０−Ｍも、商品登録操作に応じてステップＳ１０１、Ｓ１０２の処理を実行する。ただし、親計量装置１０−Ｍの場合には、生成した商品登録情報を他の計量装置１０に送信することはなく、以下に説明するように自己が記憶するようにされる。
【００７２】
次に、同図における中央のフローチャートを参照して、商品登録情報の受信または自己による商品登録情報の生成に応じた親計量装置１０−Ｍの処理手順例について説明する。
ステップＳ２０１：親計量装置１０−Ｍは、子計量装置１０−Ｓのいずれかから商品登録情報が受信される、あるいは、自機において商品登録操作に応じて商品登録情報が新規に生成されるのを待機する。
ステップＳ２０２：ステップＳ２０１にて商品登録情報の受信あるいは新規生成が行われた場合、親計量装置１０−Ｍは、精算情報を更新する。つまり、親計量装置１０−Ｍは、例えばＲＡＭ１０３（ハードディスク１０７でもよい）に記憶されている精算情報のうちから、受信もしくは生成された商品登録情報と同じ店員識別情報が対応付けられた精算情報を検索する。
ここで、精算情報が検索されなかった場合には、受信もしくは生成された商品登録情報は、１取引において最初に登録された商品についてのものであることになる。この場合、親計量装置１０−Ｍは、受信もしくは生成された商品登録情報を精算情報として新規にＲＡＭ１０３に記憶させる。
一方、精算情報が検索された場合、親計量装置１０−Ｍは、検索された精算情報に、受信もしくは生成された商品登録情報を含める（統合する）ことにより、精算情報を更新する。
ステップＳ２０３：親計量装置１０−Ｍは、ステップＳ２０２により更新された精算情報に含まれる商品登録情報の数を、該当の取引における商品登録数として取得する。親計量装置１０−Ｍは、取得した商品登録数を示す商品登録数情報を、子計量装置１０−Ｓのそれぞれに送信する。送信される商品登録情報には、ステップＳ２０２により更新された精算情報に対応付けられているのと同じ店員識別情報が対応付けられる。
ステップＳ２０４：親計量装置１０−Ｍは、ステップＳ２０３に応じて取得した商品登録数が、対応の店員の店員ボタンＢＴ３０において反映されるように表示を行う。
【００７３】
次に、同図における右のフローチャートを参照して、子計量装置１０−Ｓが、商品登録数情報の受信に応じて実行する処理手順例について説明する。
ステップＳ１１１：子計量装置１０−Ｓは、親計量装置１０−Ｍから送信される商品登録数情報が受信されるのを待機している。
ステップＳ１１２：子計量装置１０−Ｓは、商品登録数情報が受信されると、受信された商品登録数情報に対応付けられている店員識別情報が示す店員の店員ボタンＢＴ３０において、受信された商品登録数情報が示す商品登録数が反映されるように表示を行う。
同図の処理によって、各計量装置１０にて行われる商品登録操作に応じて登録された商品に関する情報が、店員ごとの精算情報として親計量装置１０−Ｍにて一元的に管理される。また、同図の処理によって、各計量装置１０において、現在行われている取引における商品登録数が店員ボタンＢＴ３０にて反映されるようにして表示される。
【００７４】
次に、図１２のフローチャートを参照して、本実施形態における精算装置２０と親計量装置１０−Ｍとが精算情報呼出操作に対応して実行する処理手順例について説明する。
先ず、親計量装置１０−Ｍが実行する処理手順例について説明する。
ステップＳ３０１：精算装置２０は、精算情報呼出操作が行われるのを待機している。
ステップＳ３０２：精算装置２０は、精算情報呼出操作が行われたことに応じて、親計量装置１０−Ｍに対して精算情報要求を送信する。
ステップＳ３０３：ステップＳ３０２による精算情報要求の送信に応答して親計量装置１０−Ｍからは、親計量装置１０−Ｍが記憶している全ての精算情報が送信されてくる。精算装置２０は、送信された精算情報ごとに対応するリスト項目を含む精算情報リストを店員用表示部２０５に表示する。
ステップＳ３０４：前述のように、店員は、店員用表示部２０５に表示された精算情報リストのうちから自分に対応した精算情報を選択する操作（精算情報選択操作）を行う。精算装置２０は、精算情報選択操作により選択された精算情報に基づく精算画面を店員用表示部２０５に表示する。
【００７５】
次に、親計量装置１０−Ｍが実行する処理手順例について説明する。
ステップＳ２１１：親計量装置１０−Ｍは、精算装置２０から送信された精算情報要求が受信されるのを待機している。
ステップＳ２１２：親計量装置１０−Ｍは、精算情報要求の受信に対する応答して、現在においてＲＡＭ１０３に記憶している全ての精算情報を精算装置２０に送信（出力）する。
このような処理が実行されることで、前述のように、精算装置２０は、店員が行う精算情報呼出操作に応じて精算情報リストを表示することができる。また、店員が自分に対応する精算情報を選択する操作を行ったことに応じて、選択された精算情報に対応する（即ち、店員が担当した客Ｃとの取引に対応する）精算画面を表示することができる。
【００７６】
＜第２実施形態＞
続いて、第２実施形態について説明する。上記第１実施形態においては、精算装置２０に対して精算情報呼出操作を行うことで精算情報リストを表示させ、精算情報リストから選択した精算情報に基づいて精算処理を実行させるようにしている。即ち、第１実施形態においては精算装置２０に対して行われる精算情報呼出操作をトリガとして、１取引における商品登録の完了が店員により指定されていた。
これに対して、第２実施形態においては、計量装置１０において１取引における商品登録の完了を指定する操作が行われたことに応じて、精算装置２０において精算処理が実行されるように構成される。
なお、本実施形態における商品販売データ処理システムの構成は、第１実施形態と同様でよい。
【００７７】
本実施形態において、店員Ｓは、１取引における最後の商品の登録操作を計量装置１０に対して行うと、続けて、１取引における全ての商品の登録の完了を宣言する操作（登録完了操作）を行う。登録完了操作は、店員Ｓは、自分が精算を行うのに使用する精算装置２０を指定する操作として行われればよい。登録完了操作は、例えば計量装置１０の店員用表示部１０５において表示される精算装置２０を選択するための精算装置選択ボタン（図示は省略する）に対する操作、あるいはキー操作部１０８において配置される精算装置選択キーに対する操作などとして行われればよい。精算装置選択ボタン（キー）は、例えば店舗に配置される精算装置２０ごとに対応して１つずつ配置される。店員は、配置された精算装置選択ボタン（あるいは精算装置選択キー）のうちから、自分が精算に使用するのに選んだ精算装置２０に対応する精算装置選択ボタン（あるいは精算装置選択キー）に対する操作を行うようにされる。
【００７８】
上記のように登録完了操作を行った後、店員Ｓは、自分が登録完了操作により指定した精算装置２０にまで移動する。登録された商品は、会計の完了までに応じた或るタイミングで店員Ｓから客Ｃに渡されればよい。
計量装置１０にて登録完了操作が行われたタイミングで、親計量装置１０−Ｍからは、店員Ｓに対応付けられた精算情報が、登録完了操作により指定された精算装置２０に送信される。精算装置２０は、受信された精算情報に基づく店員向けと客向けの各精算画面を、店員用表示部２０５と客用表示部２０６とのそれぞれにおいて表示する。
このため、店員Ｓが移動した先の精算装置２０、つまり登録完了操作により指定された精算装置２０の店員用表示部２０５においては、店員Ｓが登録完了操作を行った対象の取引についての精算情報に基づく店員向けの精算画面が表示された状態にある。また、客用表示部２０６においては、同じ精算情報に基づく客向けの精算画面が表示されている状態にある。
客Ｃは、客用表示部２０６に表示された精算画面を確認しながら、代金に応じた入金を行い、店員は、店員用表示部２０５に表示される精算画面を見ながら客による精算の操作に応じた精算処理の経過を確認する。そして、客Ｃによる入金が完了し、客Ｃが釣銭の取り出しやレシートの受け取りを行うことで１取引に応じた会計が完了する。
【００７９】
図１３のフローチャートを参照して、本実施形態における子計量装置１０−Ｓと親計量装置１０−Ｍとが登録完了操作に応じて実行する処理手順例について説明する。なお、本実施形態においても、「商品登録引継ぎ」に対応して、前述の図１１のフローチャートによる処理が計量装置１０の間で実行されている。
【００８０】
先ず、子計量装置１０−Ｓが実行する処理手順例について説明する。
ステップＳ１２１：子計量装置１０−Ｓは、精算装置２０の指定を含む登録完了操作が行われるのを待機する。
ステップＳ１２２：登録完了操作が行われると、子計量装置１０−Ｓは、登録が完了したことを通知する登録完了通知を親計量装置１０−Ｍに送信する。子計量装置１０−Ｓが送信する登録完了通知には、登録完了操作において指定された精算装置２０を示す精算装置識別情報と、子計量装置１０−Ｓの最終の使用者としての店員Ｓを示す店員識別情報とを含む。子計量装置１０−Ｓは、登録完了通知に含める最終の使用者としての店員Ｓを示す店員識別情報として、最後の登録確定操作により操作された店員ボタンＢＴ３０に対応付けられた店員識別情報を取得すればよい。
子計量装置１０−Ｓの最終の使用者としての店員Ｓとは、子計量装置１０−Ｓに対して最後に登録確定操作としての店員ボタンＢＴ３０に対する操作を行った店員である。通常の操作では、店員が、１取引における最後の商品についての登録確定操作を行って次に登録完了操作を行う。従って、子計量装置１０−Ｓに対して最後に登録確定操作としての店員ボタンＢＴ３０に対する操作を行った店員は、登録完了操作を行った店員と同じである。
【００８１】
次に、親計量装置１０−Ｍが実行する処理手順例について説明する。
ステップＳ２２１：親計量装置１０−Ｍは、登録完了操作が行われたか否かについて判定する。
ステップＳ２２２：登録完了操作が行われた場合、登録完了操作を行った店員Ｓは、親計量装置１０−Ｍにて１取引における最後の商品についての登録確定操作を行っている。そして、最後の商品についての登録確定操作が行われた段階では、図１１の処理によって、登録完了操作を行った店員Ｓに対応付けた精算情報として、最後の商品までの商品ごとの登録情報を含む精算情報が親計量装置１０−ＭのＲＡＭ１０３に記憶されている。そこで、親計量装置１０−Ｍは、登録完了操作を行った店員Ｓ（即ち、親計量装置１０−Ｍの最終の使用者）に対応付けられている精算情報を、登録完了操作によって指定された精算装置２０に送信する。
【００８２】
ステップＳ２２３：登録完了操作が行われなかった場合、親計量装置１０−Ｍは、ステップＳ１２２により子計量装置１０−Ｓから送信される登録完了通知が受信されたか否かについて判定する。登録完了通知が受信されない場合には、ステップＳ２２１に処理が戻される。
ステップＳ２２４：登録完了通知が受信された場合、親計量装置１０−Ｍは、ＲＡＭ１０３に記憶されている精算情報のうちから、受信された登録完了通知に含まれる店員識別情報が示す店員Ｓに対応付けられた精算情報を検索する。
ステップＳ２２５：親計量装置１０−Ｍは、ステップＳ２２４により検索された精算情報を、受信された登録完了通知に含まれる精算情報識別情報が示す精算装置２０に精算情報を送信（出力）する。
以上のように子計量装置１０−Ｓと親計量装置１０−Ｍとによる処理が実行されることで、店員Ｓは、１取引に対応する商品登録の完了したことに応じて、計量装置１０に対する登録完了操作により店員Ｓが指定した精算装置２０に、店員Ｓに対応する精算情報を送信することができる。精算装置２０は、受信された精算情報に基づいて即座に精算画面を表示することができる。これにより、店員Ｓと客Ｃは、店員Ｓが登録完了操作により指定した精算装置２０に移動して、すぐに精算に関する操作を行うことができる。
【００８３】
＜第３実施形態＞
続いて、第３実施形態について説明する。上記の第１実施形態と第２実施形態とのそれぞれにおいては、図８などに例示したように、計量装置１０にて表示される商品登録画面における店員ボタン表示エリアＡＲ２０において、予め販売担当の店員ごとに対応する店員ボタンＢＴ３０が配置されていた。
これに対して、本実施形態においては、例えば計量装置１０に対する操作が可能な程度に計量装置１０に接近している状態にある店員Ｓの店員ボタンＢＴ３０のみが店員ボタン表示エリアＡＲ２０において表示される。
【００８４】
図１４は、本実施形態における商品販売データ処理システムの構成例を示している。同図において、図２と同一部分には同一符号を付して説明を省略する。
同図においては、販売担当の店員Ｓとして４人の店員Ｓ−１〜Ｓ−４が配置された例が示されている。そのうえで、店員Ｓ−１〜Ｓ−４は、それぞれ店員識別タグ４０−１〜４０−４を所持する。なお、以降の説明において、店員識別タグ４０−１〜４０−４とで特に区別しない場合には、店員識別タグ４０と記載する。
店員識別タグ４０は、例えば店員Ｓが胸の辺りで衣服に付ける名札に備えられればよい。店員識別タグ４０は、対応の店員Ｓについての店員識別情報を記憶している。店員識別タグ４０は、数メートル程度の通信距離により、計量装置１０及び精算装置２０のそれぞれと非接触（無線）による通信を行う。店員識別タグ４０は、通信相手となった計量装置１０または精算装置２０に対して、自己が記憶する店員識別情報を送信する。
【００８５】
計量装置１０は、通信可能な状態の店員識別タグ４０が１つも無い場合には、店員ボタン表示エリアＡＲ２０において店員ボタンＢＴ３０を表示しない。そして、計量装置１０は、店員識別タグ４０と通信可能となることに応じて、通信可能な状態の店員識別タグ４０から受信した店員識別情報が示す店員の店員ボタンＢＴ３０を店員ボタン表示エリアＡＲ２０に表示させる。
同様に、精算装置２０は、通信可能な状態の店員識別タグ４０が１つも無い場合には、店員ボタン表示エリアＡＲ２０において店員ボタンＢＴ３０を表示しない。そして、計量装置１０は、店員識別タグ４０と通信可能となることに応じて、通信可能な状態の店員識別タグ４０から受信した店員識別情報が示す店員の店員ボタンＢＴ３０を店員ボタン表示エリアＡＲ２０に表示させる。
【００８６】
本実施形態において、計量装置１０の構成は、図３と同様でよい。ただし、計量装置１０における近距離通信部１１２は、電子商品札３０に加えて、店員識別タグ４０とも通信を行う。ここで、電子商品札３０と近距離通信部１１２との通信距離と、店員識別タグ４０との近距離通信部１１２との通信距離とは異なるように設定されてよい。例えば、電子商品札３０については、陳列ケースに配置されている電子商品札３０とのいずれとも通信が可能なように広めの通信距離が設定されることが好ましい。一方、店員識別タグ４０は、例えば店員Ｓが計量装置１０を操作している状態において、操作対象の計量装置１０との通信は可能であるが、他の計量装置１０とは通信が行われない程度の短い通信距離を設定することが好ましい。
【００８７】
また、本実施形態の精算装置２０は、図７と同様の構成でよい。先の第１実施形態及び第２実施形態では、近距離通信部２１２は省略されてもよかったのであるが、本実施形態においては、近距離通信部２１２が省略されることなく備えられる。近距離通信部２１２は、通信距離にある店員識別タグ４０と通信を行う。
【００８８】
図１５は、本実施形態の計量装置１０において店員ボタンＢＴ３０が表示された状態の商品登録画面の一例を示す。同図において、図８と同一部分には同一符号を付して説明を省略する。同図の商品登録画面は、店員Ｓ（店長）が客Ｃからの「サーモンのマリネ」の注文に応じて、商品ボタンＢＴ２−１に対する操作を行ったことで「サーモンのマリネ」が登録対象として指定された段階の表示である。
【００８９】
同図の店員ボタン表示エリアＡＲ２０においては、店長に対応する店員ボタンＢＴ３０−１と、店員Ａに対応する店員ボタンＢＴ３０−２とが表示されている。このような店員ボタンＢＴ３０の表示の状態は、計量装置１０の近くに、店長と店員Ａとの２名の店員Ｓが存在していることを示す。
【００９０】
ここで、１つの計量装置１０に対する操作が可能な程度にまで近い距離に存在する店員Ｓの数は、販売担当の店員のごく一部である。このようなことを考慮すると、本実施形態において店員ボタン表示エリアＡＲ２０に表示される店員ボタンＢＴ３０の数も数個で十分であることになる。このため、本実施形態においては、店員ボタン表示エリアＡＲ２０において販売担当の店員の全てに対応する店員ボタンＢＴ３０が表示される可能性を考慮せずに、販売担当の店員の一部に対応する店員ボタンＢＴ３０−２が表示されることを前提とすればよい。
このため、本実施形態においては、店員ボタン表示エリアＡＲ２０に表示される店員ボタンＢＴ３０については、同図のように、サイズを大きくして、店員ボタン表示エリアＡＲ２０における占有面積を多く取ることができる。
このように、店員ボタンＢＴ３０のサイズが大きくなることで、店員Ｓが自分以外に対応する店員ボタンＢＴ３０を操作してしまうようなミスを抑えることが可能になる。
なお、例えば一時的ではあっても、計量装置１０と同時に通信可能な店員識別タグ４０の数が多数となってしまう可能性もある。このような場合、計量装置１０は、店員ボタンＢＴ３０の最大表示数を予め定めたうえで、例えば受信強度が強い店員識別タグ４０の順に従って、対応の店員ボタンＢＴ３０を最大表示数まで表示させればよい。
この際、同図のように店員ボタン表示エリアＡＲ２０において上から下にかけて店員ボタンＢＴ３０が配列される態様の場合には、店員識別タグ４０の受信強度が強い順に対応させて、上から下にかけて順に店員ボタンＢＴ３０を配置させてもよい。このような配置順とした場合、計量装置１０の使用者である店員Ｓに対応する店員ボタンＢＴ３０が、店員ボタン表示エリアＡＲ２０において最も上に表示される可能性が高くなるので、操作ミスをさらに有効に抑止することができる。
【００９１】
図示による説明は省略するが、精算装置２０も、通信可能な状態の店員識別タグ４０に対応する店員ボタンを、図１５に準じた態様で、店員用表示部２０５において表示させる。店員用表示部２０５において表示される店員ボタンは、精算を行うために精算装置２０の場所にいる店員Ｓに対応する精算情報を呼び出す精算情報呼出操作を行うためのものである。
【００９２】
本実施形態の商品販売データ処理システムの場合、店員Ｓによる計量装置１０を使用しての商品の登録に関する操作は、例えば第２実施形態と同様でよい。そのうえで、店員Ｓが精算装置２０にまで移動して精算情報呼出操作を行うにあたっては、移動先の店員用表示部２０５において表示されている自分の店員ボタンＢＴ３０に対する操作を行う。
店員ボタンＢＴ３０に対する操作としての精算情報呼出操作によっては、操作された店員ボタンＢＴ３０に対応する店員Ｓを示す店員識別情報を含む精算情報要求が親計量装置１０−Ｍに対して送信される。そこで、親計量装置１０−Ｍは、精算情報要求に含まれる店員識別情報が示す店員に対応付けられた精算情報を精算装置２０に送信する。精算装置２０は、受信された精算情報に基づく精算画面を表示する。即ち、本実施形態においては、精算情報呼出操作に応じて、精算装置２０を操作する店員Ｓに対応する精算情報に基づく精算画面が直ちに表示される。この場合、店員Ｓは、例えば複数の店員ごとに対応する精算情報リストのうちから精算情報を選択する操作を行う必要がない。
【００９３】
図１６のフローチャートを参照して、本実施形態における計量装置１０が店員ボタンＢＴ３０の表示に関連して実行する処理手順例について説明する。同図の処理は、一定時間ごとに繰り返し実行される。
ステップＳ４０１：計量装置１０は、一定時間ごとのタイミングで、現在における店員識別タグ４０との通信状況を判定する。ここでの通信状況の判定とは、現在において通信可能な状態にある店員識別タグ４０を認識することである。さらに、計量装置１０は、通信状況の判定にあたり、通信可能な状態にある店員識別タグ４０ごとの受信強度を認識してもよい。
ステップＳ４０２：計量装置１０は、前回のステップＳ４０１による通信状況の判定では通信不可であったが、今回のステップＳ４０１による通信状況の判定の結果、新規に通信可能となった店員識別タグ４０が有るか否かについて判定する。
ステップＳ４０３：新規に通信可能となった店員識別タグ４０が有った場合、計量装置１０は、新規に通信可能となった店員識別タグ４０から取得された店員識別情報に基づく店員ボタンを、店員ボタン表示エリアＡＲ２０において新規に表示させる。このように店員ボタンＢＴ３０を新規に表示するにあたっては、前述のように、受信強度に応じた配列順で配置させてもよい。
ステップＳ４０４：新規に通信可能となった店員識別タグ４０が無かった場合、あるいはステップＳ４０３の処理の後、計量装置１０は、以下の判定を行う。つまり、計量装置１０は、前回のステップＳ４０１による通信状況の判定では通信が可能とされていたが、今回のステップＳ４０１による通信状況の判定の結果、今回になって通信不可となった店員識別タグ４０が有るか否かについて判定する。
ステップＳ４０５：今回になって通信不可となった店員識別タグ４０が有る場合、通信不可となった店員識別タグ４０に対応する店員ボタンＢＴ３０は、これまで表示されていた状態にある。しかし、対応の店員識別タグ４０が通信不可となったことで表示を継続させる必要性はなくなった。そこで、計量装置１０は、通信不可となった店員識別タグ４０に対応する店員ボタンＢＴ３を店員ボタン表示エリアＡＲ２０から消去する制御を行う。
【００９４】
図１７のフローチャートを参照して、本実施形態における精算装置２０と親計量装置１０−Ｍとが精算情報の授受に関連して実行する処理手順例について説明する。なお、本実施形態においても、計量装置１０は、図１１に示した処理を実行することで、親計量装置１０−Ｍにて現在店員によって行われている取引ごとの会計の進捗に応じた精算情報が管理されている。
【００９５】
先ず、精算装置２０が実行する処理手順例について説明する。
ステップＳ３１１：精算装置２０は、精算情報呼出操作としての店員ボタンに対する操作が行われるのを待機している。
ステップＳ３１２：精算情報呼出操作（店員ボタンに対する操作）が行われたことに応じて、精算装置２０は、親計量装置１０−Ｍに対して精算情報要求を送信する。精算情報要求には、ステップＳ３１１に応じて操作された店員ボタンに対応する店員を示す店員識別情報が含まれる。
ステップＳ３１２：ステップＳ３１２による精算情報要求の送信に応答して、親計量装置１０−Ｍからは、精算情報要求に含まれていた店員識別情報が示す店員に対応する精算情報を送信してくる。そこで、精算装置２０は、精算情報が受信されたことに応じて、受信された精算情報に基づいて、店員用表示部２０５に店員向けの精算画面を表示し、客用表示部２０６に客向けの精算画面を表示する。このようにして、本実施形態では、精算装置２０において精算情報呼出操作が行われると、これから精算を行おうとする店員と客とに対応した精算情報に基づく精算画面がすぐさま表示される。
【００９６】
次に、親計量装置１０−Ｍが実行する処理手順例について説明する。
ステップＳ２３１：親計量装置１０−Ｍは、精算装置２０から送信された精算情報要求が受信されるのを待機している。
ステップＳ２３２：精算情報要求が受信されたことに応じて、親計量装置１０−Ｍは、精算情報要求が指定する店員Ｓ（即ち、受信された精算情報要求に含まれていた店員識別情報が示す店員Ｓ）の精算情報をＲＡＭ１０３から検索する。
ステップＳ２３３：親計量装置１０−Ｍは、ステップＳ２３２により検索された精算情報を精算装置２０に対して送信する。
【００９７】
＜第４実施形態＞
続いて、第４実施形態について説明する。上記の第１実施形態〜第３実施形態においては、精算装置２０は、店員Ｓと客Ｃとが対面したうえで、客Ｃが入金や、釣銭及びレシート等の受け取りを行うようにされた、セミセルフの方式とされていた。
これに対して、本実施形態における精算装置は、店員Ｓは対面で客Ｃと対応せずに、客Ｃが入金や、釣銭及びレシート等の受け取りを行うようにされたフルセルフの方式が採られる。
【００９８】
図１８は、本実施形態における商品販売データ処理システムが使用される店舗の概要を示している。同図においては、例えば図１に示したセミセルフ形式の精算装置２０に代えて、フルセルフ方式の精算装置２０が配置されている。
なお、本実施形態における商品販売データ処理システムとしては、店員識別タグ４０を備える構成であってもよいし、備えない構成であってもよい。店員識別タグ４０を備える構成の場合、精算装置２０を店員Ｓが操作しないことから、精算装置２０については店員識別タグ４０と通信する機能を省略してよい。
また、例えば本実施形態におけるフルセルフ方式の精算装置２０は、先の各実施形態における精算装置２０の店員用表示部２０５を１８０度回転させて客側に向けたうえで、フルセルフ方式の設定を行うことで、精算装置２０を使用することも可能である。
【００９９】
このようなフルセルフ方式の精算装置２０が配置される商品販売データ処理システムの場合、精算装置２０にて店員Ｓが客Ｃと対面で接客を行って精算を行う必要がない。このため、店員Ｓは、計量装置１０による商品の登録の業務を集中して行えることから、さらに効率良く計量装置１０を使用して商品登録を行っていくことができる。これにより、客の待ち時間をさらに短縮することも可能になる。
ただし、精算装置２０にて店員Ｓが客Ｃと応対しないため、精算装置２０に移動した客が、他人の取引ではなく、自分の取引に応じた精算を正しく行えるようにすることが求められる。
そこで、本実施形態における客Ｃと精算との対応付けのための構成として、以下の第１例〜第６例の６例を挙げて説明する。
なお、本実施形態の精算装置２０は、例えば図７から店員用表示部２０５が省略された構成とされてもよい。
【０１００】
［第１例］
店員Ｓは、例えば第２実施形態と同様の操作手順で、一取引における全ての商品の登録を行ったことに応じて、精算装置２０の指定操作を含む登録完了操作を計量装置１０に対して行う。この登録完了操作に応じて、店員Ｓが登録完了操作により指定した精算装置２０に、自分に対応する精算情報が親計量装置１０−Ｍから送信される。精算情報を受信した精算装置２０は、受信された精算情報に基づく客向けの精算画面を客用表示部２０６に表示して待機する。
登録完了操作を行った店員Ｓは、客Ｃにこれまで登録した商品を渡すとともに、自分が指定した精算装置２０にまで移動して自分で精算を行ってもらうように口頭で伝える。客Ｃは、店員Ｓから伝えられた通りに精算装置２０にまで移動する。
移動先の精算装置２０の客用表示部２０６には、客Ｃの買い物に応じた精算画面が表示されている状態にある。そこで、客Ｃは、精算画面にて表示される案内に従って、精算に関する操作を行う。
なお、上記のように精算装置２０に送信される精算情報には、登録完了操作を行った店員Ｓを示す店員識別情報を付加してもよい。このように精算情報に店員識別情報を付加すれば、精算処理結果を示す実績データにも店員識別情報を対応付けることができるので、後から精算の実績ごとにどの店員が担当していたのかを容易に把握できる。
【０１０１】
［第２例］
店員Ｓは、計量装置１０に対して１取引における最後の商品の登録を確定させる操作を行うと、続けて計量装置１０に対して１取引における商品登録が完了したことを宣言する商品登録完了操作を行う。商品登録完了操作に応じて、計量装置１０は、番号札を発行する。番号札には、今回の取引に対応する精算情報に対応付けられた番号が印刷されている。親計量装置１０−Ｍは、商品登録完了操作に応じて、１つの取引番号（例えば連番）を設定し、商品登録完了操作を行った店員に対応付けられている精算情報に、生成した取引番号を対応付けておくようにする。
店員Ｓは、客Ｃに登録した商品を渡すとともに、計量装置１０により発行された番号札も客Ｃに渡したうえで、空いている任意の精算装置２０で精算してもらうように伝える。
客Ｃは、精算装置２０にまで移動すると、例えば客用表示部２０６に表示された案内に従って、精算装置２０に対して、番号札に印刷された取引番号を入力する操作を行う。取引番号の入力は、例えば店員用表示部２０５に表示された数字キーあるいはキー操作部２０８における数字キーなどに対する置数操作として行われればよい。
【０１０２】
精算装置２０は、取引番号が入力されたことに応じて、入力された取引番号を含む精算情報要求を親計量装置１０−Ｍに送信する。親計量装置１０−Ｍは、受信された精算情報要求に含まれる取引番号に対応付けられた精算情報を精算装置２０に送信する。精算装置２０は、受信された精算情報に基づいて精算画面を表示する。このように表示される精算画面は、客Ｃの取引に対応したものである。客Ｃは、表示された精算画面に従って精算を行うことができる。
なお、本実施形態においても、精算装置２０に送信する精算情報に、登録完了操作を行った店員Ｓを示す店員識別情報を付加してもよい。
【０１０３】
［第３例］
店員Ｓは、計量装置１０に対して１取引における最後の商品の登録を確定させる操作を行うと、続けて計量装置１０に対して１取引における商品登録が完了したことを宣言する商品登録完了操作を行う。商品登録完了操作に応じて、計量装置１０は、お会計券（登録商標）を発行する。お会計券には、今回の取引に対応する精算情報を一意に示す精算情報識別子をコード化したバーコード、あるいは二次元コードが印刷されている。親計量装置１０−Ｍは、１取引における１つ目の商品についての登録情報により精算情報を新規生成する際に、精算情報識別子を生成し、生成した精算情報識別子を対応付けて管理する。
お会計券を発行するにあたり、計量装置１０は、親計量装置１０−Ｍから該当の精算情報を示す精算情報識別子を取得し、取得された精算情報識別子をコード化してお会計券に印刷する。
店員Ｓは、客Ｃに登録した商品を渡すとともに、計量装置１０により発行されたお会計券も客Ｃに渡したうえで、空いている任意の精算装置２０で精算してもらうように伝える。
客Ｃは、精算装置２０にまで移動すると、例えば客用表示部２０６に表示された案内に従って、お会計券に印刷されたコードとしての精算情報識別子をスキャナ部２０４により読み取らせる。このようにして、精算装置２０に精算情報識別子が入力される。
なお、お会計券には、精算情報識別子を示す数字なども印刷しておき、店員用表示部２０５に表示された数字キーあるいはキー操作部２０８における数字キーなどに対する置数操作により精算情報識別子が入力できるようにしておいてもよい。
【０１０４】
精算装置２０は、精算情報識別子が入力されたことに応じて、入力された精算情報識別子を含む精算情報要求を親計量装置１０−Ｍに送信する。親計量装置１０−Ｍは、受信された精算情報要求に含まれる精算情報識別子により示される精算情報を精算装置２０に送信する。精算装置２０は、受信された精算情報に基づいて精算画面を表示する。このように表示される精算画面は、客Ｃの取引に対応したものである。客Ｃは、表示された精算画面に従って精算を行うことができる。
なお、本実施形態においても、精算装置２０に送信する精算情報に、登録完了操作を行った店員Ｓを示す店員識別情報を付加してもよい。
【０１０５】
［第４例］
第４例も、第３例と同様にお会計券が発行される。しかしながら、第４例では、お会計券に印刷されるコードの示す内容が第３例と異なる。
店員Ｓは、計量装置１０に対して１取引における最後の商品の登録を確定させる操作を行うと、続けて計量装置１０に対して１取引における商品登録が完了したことを宣言する商品登録完了操作を行う。商品登録完了操作に応じて、計量装置１０は、お会計券（登録商標）を発行する。お会計券には、今回の取引に対応する精算情報の内容をコード化したバーコード、あるいは二次元コードが印刷されている。
商品登録完了操作を受け付けた計量装置１０は、商品登録完了操作を行った店員（最後の使用者としての店員）に対応付けられた精算情報を親計量装置１０−Ｍから取得し、取得した精算情報コード化してお会計券に印刷する。
【０１０６】
店員Ｓは、客Ｃに登録した商品を渡すとともに、計量装置１０により発行されたお会計券も客Ｃに渡したうえで、空いている任意の精算装置２０で精算してもらうように伝える。
客Ｃは、精算装置２０にまで移動すると、例えば客用表示部２０６に表示された案内に従って、精算装置２０にお会計券に印刷されたコードとしての精算情報をスキャナ部２０４により読み取らせる。
精算装置２０は、読み取られた精算情報に基づいて精算画面を表示する。このように表示される精算画面は、客Ｃの取引に対応したものである。客Ｃは、表示された精算画面に従って精算を行うことができる。
なお、本実施形態においても、精算装置２０に送信する精算情報に、登録完了操作を行った店員Ｓを示す店員識別情報を付加してもよい。
【０１０７】
［第５例］
店員Ｓは、計量装置１０に対して１取引における最後の商品の登録を確定させる操作を行うと、続けて計量装置１０に対して１取引における商品登録が完了したことを宣言する商品登録完了操作を行う。
第５例の商品登録完了操作は、商品登録完了操作のキーを操作するというものではなく、客Ｃから受け取った会員カードから会員番号を、例えばスキャナ部１０４により読み取る操作である。なお、会員カードには、会員番号を示す数字なども印刷しておき、店員用表示部１０５に表示された数字キーあるいはキー操作部２０８における数字キーなどに対する置数操作により会員番号が入力できるようにしておいてもよい。
商品登録完了操作により読み取られた会員番号は、親計量装置１０−Ｍが取得する。親計量装置１０−Ｍは、取得した会員番号を、商品登録完了操作を行った店員Ｓに対応付けられた精算情報に対応付ける。
【０１０８】
店員Ｓは、会員番号を読み取った会員カードを客Ｃに返却し、登録した商品とを客Ｃに渡すとともに、空いている任意の精算装置２０で精算してもらうように伝える。
客Ｃは、精算装置２０にまで移動すると、例えば客用表示部２０６に表示された案内に従って、自分の会員カードの会員番号をスキャナ部２０４により読み取らせる操作を行って、精算装置２０に会員番号を入力する。なお、精算装置２０に対しても会員番号を置数操作によって入力できるようにしてもよい。
【０１０９】
精算装置２０は、会員番号が入力されたことに応じて、入力された会員番号を含む精算情報要求を親計量装置１０−Ｍに送信する。親計量装置１０−Ｍは、受信された精算情報要求に含まれる会員番号が対応付けられている精算情報を精算装置２０に送信する。精算装置２０は、受信された精算情報に基づいて精算画面を表示する。このように表示される精算画面は、客Ｃの取引に対応したものである。客Ｃは、表示された精算画面に従って精算を行うことができる。
なお、本実施形態においても、精算装置２０に送信する精算情報に、登録完了操作を行った店員Ｓを示す店員識別情報を付加してもよい。
【０１１０】
［第６例］
店員Ｓは、計量装置１０に対して１取引における最後の商品の登録を確定させる操作を行うと、続けて計量装置１０に対して１取引における商品登録が完了したことを宣言する商品登録完了操作を行う。
登録完了操作が行われたことに応じて、計量装置１０は、該当の精算情報の内容をコード化したバーコードあるいは二次元コードを印刷内容に含むラベルを発行する。ラベルの発行にあたり、計量装置１０は、商品登録完了操作を行った店員Ｓ（最終の使用者としての店員Ｓ）に対応付けられた精算情報を親計量装置１０−Ｍから取得し、取得された精算情報をコード化したコードをラベルに印刷する。ラベルには、コードの他に、該当の取引において登録された商品に関する情報などが印刷されてよい。
【０１１１】
店員Ｓは、発行されたラベルを、今回の取引に応じて登録した商品のうちのいずれか、あるいは、登録した商品をまとめて梱包した容器などに貼り付けたうえで、商品を客Ｃに渡すとともに、空いている任意の精算装置２０で精算してもらうように伝える。
客Ｃは、精算装置２０にまで移動すると、例えば客用表示部２０６に表示された案内に従って、商品に貼り付けられたラベルをスキャナ部２０４により読み取らせる操作を行って、精算装置２０に精算情報を入力させる。
精算装置２０は、入力された精算情報に基づいて精算画面を表示する。客Ｃは、表示された精算画面に従って精算を行うことができる。
なお、ラベルには、精算情報の内容に代えて、該当の精算情報を示す精算情報識別子をコード化して印刷してもよい。この場合の精算装置２０は、ラベルからコードを読み取ることに応じて、読み取ったコードが示す精算情報識別子を含む精算情報要求を親計量装置１０−Ｍに送信する。そして、精算装置２０は、受信された精算情報に基づく精算画面の表示を行うようにされればよい。
なお、本実施形態においても、ラベルにコードとして印刷される精算情報に、登録完了操作を行った店員Ｓを示す店員識別情報を付加してもよい。
【０１１２】
なお、上記の第２例〜第６例については、例えば第２実施形態のようにセミセルフ形式の精算装置２０を備えて、精算時にも店員Ｓが客Ｃと対面して接客する形態においても適用されてよい。
第２実施形態に第２例を適用する場合、計量装置１０から発行された番号札を客Ｃに渡すまでの手順と、計量装置１０における処理は、第４実施形態における第２例と同様でよい。そのうえで、精算装置２０を操作する店員Ｓは、客Ｃから番号札を受け取り、受け取った番号札に印刷された取引番号を入力して取引番号に対応付けられた精算情報を親計量装置１０−Ｍから取得して、店員用表示部２０５と客用表示部２０６とに精算画面を表示させればよい。
【０１１３】
第２実施形態に第３例を適用する場合、計量装置１０から発行されたお会計券を客Ｃに渡すまでの手順と、計量装置１０における処理は、第４実施形態における第３例と同様でよい。そのうえで、精算装置２０を操作する店員Ｓは、客Ｃからお会計券を受け取り、受け取ったお会計券から精算情報識別子を読み取らせ、読み取られた精算情報識別子が示す精算情報を親計量装置１０−Ｍから取得し、店員用表示部２０５と客用表示部２０６とに精算画面を表示させればよい。
【０１１４】
第２実施形態に第４例を適用する場合、計量装置１０から発行されたお会計券を客Ｃに渡すまでの手順と、計量装置１０における処理は、第４実施形態における第４例と同様でよい。精算装置２０を操作する店員Ｓは、客Ｃからお会計券を受け取り、受け取ったお会計券から精算情報を読み取らせ、読み取られた精算情報を店員用表示部２０５と客用表示部２０６とに精算画面を表示させればよい。
【０１１５】
第２実施形態に第５例を適用する場合、計量装置１０に対する登録完了操作として会員番号を読み取らせることと、会員番号の読み取りに応じた計量装置１０の処理は、第４実施形態における第５例と同様でよい。
精算装置２０を操作する店員Ｓは、客Ｃから会員カードを預かり、預かった会員カードから会員番号を読み取らせ、読み取られた会員番号が示す精算情報を親計量装置１０−Ｍから取得し、取得した精算情報に基づいて店員用表示部２０５と客用表示部２０６とに精算画面を表示させればよい。
【０１１６】
第２実施形態に第６例を適用する場合、精算装置２０を操作する店員Ｓは、一旦、客Ｃからラベルが貼り付けられた商品を預かり、ラベルから精算情報または精算情報識別子を精算装置２０に読み取らせる。精算装置２０は、ラベルから読み取った精算情報に基づく精算画面を店員用表示部２０５と客用表示部２０６とに表示させる。あるいは、精算装置２０は、ラベルから読み取った精算情報識別子が示す精算情報を親計量装置１０−Ｍから取得し、取得した精算情報に基づいて店員用表示部２０５と客用表示部２０６とに精算画面を表示させる。
【０１１７】
なお、上記各実施形態においては、セミセルフ形式の精算装置２０またはフルセルフ形式の精算装置２０が使用された例が挙げられている。しかしながら、本実施形態の商品販売データ処理システムにおける精算装置は、店員Ｓが客から代金を受け取って現計操作を行い、店員がドロアやレシートなどの発行口から釣銭、レシートなど取り出し、客Ｃに渡すようにされた精算に対応する形式のものであってもよい。
なお、上記各実施形態においては、計量装置１０にて登録が行われる商品が量り売りである場合を例に挙げて説明した。しかしながら、本実施形態の計量装置１０にて登録が行われる商品は、例えば、予め一定の重量を計量して容器に容れたことにより一定金額が設定された定額商品であってもよい。このような定額商品の場合、店員は、計量などは行わずに、例えば計量装置１０において定額商品に対応して配置されたプリセットキーを押下する操作を行うことで、商品の登録を行うようにされればよい。
【０１１８】
＜実施形態の総括＞
これまでに説明した上記実施形態は、計量された商品の登録が行われる計量装置１０と、計量装置１０により登録された商品についての精算が行われる精算装置２０とを備える商品販売データ処理システムであって、登録された商品ごとに関する金額を含む登録情報を生成する登録情報処理手段と、複数の計量装置１０間で登録された商品についての商品情報を統合した精算情報を生成し、記憶部に記憶させる精算情報処理手段と、精算情報を精算装置２０で精算可能なように出力する出力手段と、出力手段により出力された精算情報に基づいて精算装置２０にて精算に関する精算処理を実行する精算手段とを備える。
上記構成によれば、計量装置１０にて、店員による商品登録操作に応じて商品登録に関する処理が実行され、精算装置２０にて、計量装置１０での商品登録に関する処理に応じて得られた精算情報に基づく精算が可能となる。つまり、計量装置１０にて量り売りの商品の登録を行い、その後、精算装置２０にて精算を行うことのできる商品販売データ処理システムを構築できる。このような商品販売データ処理システムにより、計量装置１０において精算までが行われることがなくなり、計量装置１０により商品の登録を効率良く行っていくことが可能となる。これにより、会計を受けようとする客の待ち時間の短縮が図られる。
【０１１９】
また、上記の商品販売データ処理システムにおいて、登録情報処理手段は、商品の登録を行った店員を示す店員識別情報を登録情報に対応付け、精算情報処理手段は、同じ店員識別情報が対応付けられた登録情報を統合して精算情報を生成してもよい。
上記構成によれば、異なる計量装置１０で行われた商品についての登録情報を統合して、同じ一取引として精算することが可能となる。
【０１２０】
また、上記の商品販売データ処理システムは、店員識別情報を指定する店員指定手段を備え、精算手段は、指定された店員識別情報に対応する精算情報を表示部（店員用表示部２０５、客用表示部２０６）に表示させてもよい。
上記構成によれば、例えば店員が精算装置２０にて自分としての店員Ｓを指定する操作を行うことによって、自分が応対した客との取引に対応する精算情報を精算装置２０にて表示させ、精算装置２０に精算処理を行わせることが可能になる。つまり、店員Ｓは、精算装置において自分が応対した客との取引に対応する精算情報を、自分としての店員Ｓを指定するという簡単な操作で呼び出すことができる。
【０１２１】
また、上記の商品販売データ処理システムにおいて、出力手段は、計量装置１０での１取引に対応する商品の登録の完了を宣言する登録完了操作が行われたことに応じて、精算情報を精算装置２０で精算可能なように出力してもよい。
上記構成によれば、例えば計量装置１０に対して店員が登録完了操作を行うことに応じて、計量装置１０から精算装置２０に対して精算情報が出力されるようにすることができる。これにより、店員が計量装置１０側で小計に対応する操作を行った後に精算装置２０にて精算を行うという会計手順による商品販売データ処理システムを実現できる。
【０１２２】
また、上記の商品販売データ処理システムにおいて、登録完了操作は、出力される精算情報に基づく精算処理を実行させる精算装置２０を指定する操作を含み、出力手段は、精算情報が登録完了操作において指定された精算装置２０に入力されるように出力を行ってもよい。
上記構成によれば、店員Ｓは、登録完了操作として精算装置２０を指定する操作を行うことで、指定の精算装置２０にて、自分が応対した取引に対応する精算情報に基づく精算画面を表示させることが可能になる。これにより、店員Ｓは、自分が移動した精算装置２０に移動することで、即座に自分が応対した客に対応する精算を行うことが可能となる。
【０１２３】
また、上記実施形態は、計量された商品の登録が行われる計量装置１０と、計量装置１０により登録された商品についての精算が行われる精算装置２０とを備える商品販売データ処理システムにおいて備えられるコンピュータを、登録された商品ごとに関する金額を含む登録情報を生成する登録情報処理手段、複数の計量装置間で登録された商品についての商品情報を統合した精算情報を生成し、記憶部に記憶させる精算情報処理手段、精算情報を精算装置２０で精算可能なように出力する出力手段、出力手段により出力された精算情報に基づいて精算装置にて精算に関する精算処理を実行する精算手段として機能させるためのプログラムである。
【０１２４】
なお、上述の計量装置１０と精算装置２０などとしての機能を実現するためのプログラムをコンピュータ読み取り可能な記録媒体に記録して、この記録媒体に記録されたプログラムをコンピュータシステムに読み込ませ、実行することにより上述の計量装置１０と精算装置２０などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【符号の説明】
【０１２５】
１０  計量装置、２０  精算装置、３０  電子商品札、４０  店員識別タグ、１０１  ＣＰＵ、１０２  ＲＯＭ、１０３  ＲＡＭ、１０４  スキャナ部、１０５  店員用表示部、１０６  客用表示部、１０７  ハードディスク、１０８  キー操作部、１０９  計量部、１０９ａ  秤台、１１０  印字部、１１１  装置間対応通信部、１１２  近距離通信部、１１９  バス、２０１  ＣＰＵ、２０２  ＲＯＭ、２０３  ＲＡＭ、２０４  スキャナ部、２０５  店員用表示部、２０６  客用表示部、２０７  ハードディスク、２０８  キー操作部、２１０  印字部、２１０ａ  発行口、２１１  装置間対応通信部、２１２  近距離通信部、２１９  バス、２４２  広告部、２６０  釣銭機、２６２  紙幣投入口、２６３  紙幣排出口、２６４  硬貨投入口、２６５  硬貨排出口、２６６  リジェクト口、５０５  店員用表示部
【図１】
2018018421.tif 000003
【図２】
2018018421.tif 000004
【図３】
2018018421.tif 000005
【図４】
2018018421.tif 000006
【図５】
2018018421.tif 000007
【図６】
2018018421.tif 000008
【図７】
2018018421.tif 000009
【図８】
2018018421.tif 000010
【図９】
2018018421.tif 000011
【図１０】
2018018421.tif 000012
【図１１】
2018018421.tif 000013
【図１２】
2018018421.tif 000014
【図１３】
2018018421.tif 000015
【図１４】
2018018421.tif 000016
【図１５】
2018018421.tif 000017
【図１６】
2018018421.tif 000018
【図１７】
2018018421.tif 000019
【図１８】
2018018421.tif 000020